(57)【特許請求の範囲】
【請求項１】
野菜室内に配されて前後に出し入れされるケースと、前記ケースを左右に分割する隔壁と、前記ケースの上面を覆うカバーと、前記カバー上に設けられるとともに冷気が流通する野菜室用冷気通路と、前記野菜室の背壁の左右方向の略中央に設けられて前記野菜室用冷気通路に冷気を吐出する冷気吐き出し口と、前記野菜室の後方の左右方向の一端に設けられて前記野菜室用冷気通路の冷気が流入する冷気もどり口と、前記カバー上に回動自在に配されて前記冷気吐き出し口から吐出される冷気の風向を可変する風向板とを備え、
前記風向板は、前記隔壁を取り外したときに前記冷気もどり口から離れた側に冷気を導くとともに、前記隔壁により前記ケースを分割したときに前記隔壁との当接により回動して前記冷気もどり口に近い側に冷気を導くことを特徴とする冷蔵庫。
【請求項２】
前記風向板は横方向に延びて形成される回動レバーを有するとともに、前記風向板を前記冷気もどり口から離れた側に冷気を導く向きに付勢する付勢手段を設け、前記ケースを分割する位置に配された前記隔壁により前記回動レバーを押圧して前記風向板を回動させることを特徴とする請求項１に記載の冷蔵庫。
【請求項３】
前記カバーは、前記回動レバーが配置されるとともに後方が下がった第１段部と、第１段部に形成されるとともに前記隔壁が侵入する第１動作穴とを有し、前記隔壁を取り外したときに第１動作穴が前記回動レバーにより塞がれることを特徴とする請求項２に記載の冷蔵庫。
【請求項４】
前記隔壁により前記ケースを分割したときの前記風向板に沿って前記風向板の前方に延びて形成される第１補助風向板と、前記隔壁を取り外したときの前記風向板に沿って前記風向板の前方に延びて形成される第２補助風向板を前記ケース上に固定して設けたことを特徴とする請求項１〜請求項３のいずれかに記載の冷蔵庫。
【請求項５】
前記カバーの前部の前記冷気もどり口に近い側に形成される冷気穴と、前記隔壁により前記ケースを分割したときに前記隔壁との当接により前記冷気穴を開いて、前記隔壁を取り外したときに前記冷気穴を閉じる冷気穴蓋とを設けたことを特徴とする請求項１〜請求項４のいずれかに記載の冷蔵庫。
【請求項６】
前記冷気穴蓋は前記隔壁に設けた突起部を案内する傾斜したガイド溝を有するとともに、前記冷気穴を閉じる方向に前記冷気穴蓋を付勢する蓋付勢手段を設けたことを特徴とする請求項５に記載の冷蔵庫。
【請求項７】
前記カバーは、前記冷気穴蓋が配置されるとともに後方が下がった第２段部と、第２段部に形成されるとともに前記突起部が侵入する第２動作穴とを有し、前記隔壁を取り外したときに第２動作穴が前記冷気穴蓋により塞がれることを特徴とする請求項６に記載の冷蔵庫。
【請求項８】
野菜室内に配されて前後に出し入れされるケースと、前記ケースを左右に分割する隔壁と、前記ケースの上面を覆うカバーと、前記カバー上に設けられるとともに冷気が流通する野菜室用冷気通路と、前記野菜室の背壁の左右方向の略中央に設けられて前記野菜室用冷気通路に冷気を吐出する冷気吐き出し口と、前記野菜室の後方の左右方向の一端に設けられて前記野菜室用冷気通路の冷気が流入する冷気もどり口と、前記カバーの前部に形成される冷気穴と、前記隔壁により前記ケースを分割したときに前記隔壁との当接により前記冷気穴を開くとともに前記隔壁を取り外したときに前記冷気穴を閉じる冷気穴蓋とを備えたことを特徴とする冷蔵庫。
【発明の詳細な説明】
【０００１】
【発明の属する技術分野】
本発明は、野菜室を設けた冷蔵庫に関するものである。
【０００２】
【従来の技術】
従来のこの種の冷蔵庫は特開平７−１９０５８８号公報に記載されているように、低温室に３区画以上に形成された区画と、冷気の吹き出し口と連通し、前記各区画へ冷気を導くように冷気を振り分ける冷却ダクトとを備えてなるものである。
【０００３】
【発明が解決しようとする課題】
上記特開平７−１９０５８８号公報に開示されている冷蔵庫では、冷却ダクトの形成および固定方式や、前記冷却ダクトと冷気の吹き出し口との連通方式が、複雑で実用性や量産性に欠け、コスト的にも割高で、また、冷却ダクトの冷気の吹き出し口近傍は、場合により、貯蔵品（特に野菜類）が冷えすぎ、凍結するという課題があるとともに、冷却ダクトにより冷気流量は定まり、低温容器に設けた各区画の各々の設定温度はそれ以外の設定温度には変えられないという課題がある。
【０００４】
【課題を解決するための手段】
本発明の冷蔵庫は上記のような課題を解決したもので、野菜室内に配されて前後に出し入れされるケースと、前記ケースを左右に分割する隔壁と、前記ケースの上面を覆うカバーと、前記カバー上に設けられるとともに冷気が流通する野菜室用冷気通路と、前記野菜室の背壁の左右方向の略中央に設けられて前記野菜室用冷気通路に冷気を吐出する冷気吐き出し口と、前記野菜室の後方の左右方向の一端に設けられて前記野菜室用冷気通路の冷気が流入する冷気もどり口と、前記カバー上に回動自在に配されて前記冷気吐き出し口から吐出される冷気の風向を可変する風向板とを備え、
前記風向板は、前記隔壁を取り外したときに前記冷気もどり口から離れた側に冷気を導くとともに、前記隔壁により前記ケースを分割したときに前記隔壁との当接により回動して前記冷気もどり口に近い側に冷気を導くことを特徴とするものである。
この構成により、隔壁の所定の位置への着脱により、野菜室扉を閉じたとき、野菜室用冷気通路内の各所の冷気流量を変えることができ、各所に異なる量の冷気を容易に供給できるため、隔壁の所定の位置への取り付けによって、各々独立した部屋の温度を異なる温度に設定したり、隔壁の所定の位置からの取り外しによって、ケース内温度がどの位置においてもほぼ同様の温度に設定することが、容易にできる実用性に富んだ野菜室をもつ冷蔵庫が得られる。
【０００５】
また本発明は、上記構成の冷蔵庫において、前記風向板は横方向に延びて形成される回動レバーを有するとともに、前記風向板を前記冷気もどり口から離れた側に冷気を導く向きに付勢する付勢手段を設け、前記ケースを分割する位置に配された前記隔壁により前記回動レバーを押圧して前記風向板を回動させることを特徴とするものである。
また本発明は、上記構成の冷蔵庫において、前記カバーは、前記回動レバーが配置されるとともに後方が下がった第１段部と、第１段部に形成されるとともに前記隔壁が侵入する第１動作穴とを有し、前記隔壁を取り外したときに第１動作穴が前記回動レバーにより塞がれることを特徴とするものである。
この構成により、カバーに設けられる動作穴が比較的小さいものとなり、第１動作穴の穴あきによるカバー自体の強度の低下が少なくなり、風向板で第１動作穴をふさぐ場合、その大きさも小さくてすみ、風向板の作動性および密閉性が向上する。
【０００６】
また本発明は、上記構成の冷蔵庫において、前記隔壁により前記ケースを分割したときの前記風向板に沿って前記風向板の前方に延びて形成される第１補助風向板と、前記隔壁を取り外したときの前記風向板に沿って前記風向板の前方に延びて形成される第２補助風向板を前記ケース上に固定して設けたことを特徴とするものである。
この構成により、補助風向板を設けたため、回動する風向板の長さが短くても、カバー上やケースの周辺を流れる冷気流量の風向板回動による変化は広範囲にでき、また、回動する風向板の長さが短いため、風向板の回動する領域が小さく、かつ、回動荷重が小さくなり、容易に素早く確実に小さな力で風向板を回動でき、広範囲の各所に異なる量の冷気を容易により確実に供給でき、風向板の向きによって、各部屋の温度を異なる温度に設定したり、ケース内温度がどの位置においてもほぼ同様の温度に設定することが、いっそう容易により確実にできる実用性に富んだ野菜室をもつ冷蔵庫が得られる。
【０００７】
また本発明は、上記構成の冷蔵庫において、前記カバーの前部の前記冷気もどり口に近い側に形成される冷気穴と、前記隔壁により前記ケースを分割したときに前記隔壁との当接により前記冷気穴を開いて、前記隔壁を取り外したときに前記冷気穴を閉じる冷気穴蓋とを設けたことを特徴とするものである。
この構成により、隔壁を所定の位置へ取り付け、野菜室扉を閉じたとき、冷気穴が開いた状態にさせると、カバーに冷気穴をもつ野菜室の部屋に冷気が流れ込み、この部屋がよりいっそう低温になり、野菜以外の例えばワインやビール等の貯蔵にも適した低温部屋を野菜室にもつ冷蔵庫が得られる。
【０００８】
また本発明は、上記構成の冷蔵庫において、前記冷気穴蓋は前記隔壁に設けた突起部を案内する傾斜したガイド溝を有するとともに、前記冷気穴を閉じる方向に前記冷気穴蓋を付勢する蓋付勢手段を設けたことを特徴とするものである。
【０００９】
また本発明は、上記構成の冷蔵庫において、前記カバーは、前記冷気穴蓋が配置されるとともに後方が下がった第２段部と、第２段部に形成されるとともに前記突起部が侵入する第２動作穴とを有し、前記隔壁を取り外したときに第２動作穴が前記冷気穴蓋により塞がれることを特徴とするものである。
この構成により、カバーに設けられる動作穴が比較的小さいものとなり、第２動作穴の穴あきによるカバー自体の強度の低下が少なくなり、冷気穴蓋で第２動作穴をふさぐ場合、その大きさも小さくてすみ、冷気穴蓋の作動性および密閉性が向上する。
【００１０】
また本発明は、野菜室内に配されて前後に出し入れされるケースと、前記ケースを左右に分割する隔壁と、前記ケースの上面を覆うカバーと、前記カバー上に設けられるとともに冷気が流通する冷気が流通する野菜室用冷気通路と、前記野菜室の背壁の左右方向の略中央に設けられて前記野菜室用冷気通路に冷気を吐出する冷気吐き出し口と、前記野菜室の後方の左右方向の一端に設けられて前記野菜室用冷気通路の冷気が流入する冷気もどり口と、前記カバーの前部に形成される冷気穴と、前記隔壁により前記ケースを分割したときに前記隔壁との当接により前記冷気穴を開くとともに前記隔壁を取り外したときに前記冷気穴を閉じる冷気穴蓋とを備えたことを特徴とするものである。
【００１１】
【発明の実施の形態】
以下、本発明の冷蔵庫の実施の形態を図面とともに説明する。
【００１２】
図１は本発明による冷蔵庫の野菜室付近の要部断面図であり、図２は図１に示す野菜室のＡ−Ａ線の要部断面図で、隔壁を所定の位置に取り付け、野菜室の各部屋を異なる温度にする時の野菜室のカバーでの冷気流をあらわし、図３は図１に示す野菜室付近のＢ−Ｂ線の要部断面図で、隔壁を所定の位置に取り付け、野菜室の各部屋を異なる温度にする時の冷気流をあらわす。
【００１３】
図４は図１に示す野菜室のＡ−Ａ線の要部断面図で、野菜室のケース内をほぼ同様の温度にする時の野菜室のカバーでの冷気流をあらわし、図５は図１に示す野菜室付近のＢ−Ｂ線の要部断面図で、野菜室のケース内をほぼ同様の温度にする時の冷気流をあらわす。
【００１４】
図６は図２のＣ−Ｃ線の要部断面図であり、図７は図２の冷気穴蓋付近の要部拡大図で、図８は図７のＤ−Ｄ線の要部断面図であり、図９は図７のＥ−Ｅ線の要部断面図である。
【００１５】
図１において、１は冷蔵庫本体、２は野菜室、３はケースで、上に開口部を設け、上方より貯蔵物の出し入れを行う、特に大型の野菜等の貯蔵物を収納するためのものである。４は隔壁でありケース３を各々独立した部屋に仕切っている。５は冷気吐き出し口でありここから野菜室２へ冷気を送り込んでいる。
【００１６】
６はカバーで上記ケース３および小物用のケース７の上方を覆うように野菜室２の上部に位置し、上記ケース３内およびケース７内を間接的に冷却し一定湿度に保つための蓋の役目をする。なお、小物用のケース７はケース３の上部に位置し、小型の野菜類や小さく切った食品等の小型の貯蔵物を収納するためのものである。また、８は小物用のケース７の隔壁である。
【００１７】
９は上部仕切部で野菜室２とその上にある上部貯蔵室とを仕切っており、本図は上部貯蔵室が野菜室２と温度差の少ない冷蔵室であるため、上記上部仕切部９の断熱層を薄くしてある。１０は風向板で、カバー６の上部に位置する。風向板１０は、カバー６を冷蔵庫本体１に組み込み後、カバー６にビスにて回動軸１０ａを中心に回動自在に取り付けてある。１１は冷気吐き出し口５にある風向板である。
【００１８】
１２はアングルで野菜室扉１３にビスなどにて固着されてあり、ケース３および小物用のケース７を保持し、野菜室扉１３を手前にひくことにより、ケース３およびケース７を野菜室２内から外部へ引き出すことができる。１４は冷蔵庫内の空気を冷やすための蒸発器、１５はファンおよび駆動モータからなる送風用のファン組品である。
【００１９】
次に野菜室２内の冷気流を本図で説明すると、蒸発器１４で冷やされた冷気は、ファン組品１５にて冷気通路（図示せず）を通り、冷気吐き出し口５より野菜室２へ送り込まれる。野菜室２へ送り込まれた冷気は、カバー６と上部仕切部９との空間を風向板１０に従い通過し、カバー６の前方から下へ流れる。
【００２０】
その後、冷気は野菜室扉１３とケース３の空間を通りケース３外部の下方へ流れる。ケース３外部の下を流れた冷気は、冷気もどり口（図示せず）へ流れ込む。この間、冷気はケース３内および小物用のケース７内の貯蔵品を間接的に冷却する。
【００２１】
なお、冷気吐き出し口５を含む冷気吐き出し口５から冷気もどり口（図３における符号２１）までの野菜室２での冷気流のための通路を野菜室用冷気通路１６とする。また、１７は風向板１０の野菜室２前方側の先端を冷気もどり口（図３における符号２１）と反対側に動かすための風向板バネで、本図は回動軸１０ａを通る位置にて切断したときの要部断面図のため風向板バネ１７の一部のみをあらわしている。
【００２２】
冷気もどり口（図３における符号２１）へ流れ込んだ冷気は、その後、蒸発器１４に通じる冷気通路（図示せず）を通り蒸発器１４の下部へ帰る。ケース３にある隔壁４は、小物用のケース７があるので、確実に各部屋を仕切るため、Ｌ字型にしてある。
【００２３】
図２において、矢印は野菜室２の各部屋を異なる温度にする時のカバー６上での冷気流をあらわす。
【００２４】
野菜室扉１３を手前に引き、ケース３およびケース３の上部に位置する小物用のケース７を野菜室２内から外部へ引き出し、小物用のケース７の隔壁８を所定の位置へ取り付ける。その後、野菜室扉１３を閉じると、隔壁８に設けた隔壁突出部８ａが回動自在な風向板１０の回動レバー１０ｂを後方に押すため、風向板１０は回動し、図２のように低温部屋（図３における符号３ａ）方向に冷気が多く流れるようになる。
【００２５】
そのため、冷気吐き出し口５から流れ出た冷気が風向板１０および補助風向板１８に導かれ、カバー６の上部を、冷気もどり口（図３における符号２１）近くにある、低温部屋（図３における符号３ａ）方向に集中するように流れる。この間、カバー６を介して、ケース３内および小物ケース７内の貯蔵物は、上記冷気により間接的に冷却される。
【００２６】
なお、補助風向板１８はカバー６と上部仕切部９との間に設けられ、カバー６と上部仕切部９の少なくともどちらか一方に一体に形成されるか、または、別物を取り付けられている。
【００２７】
通常、冷気もどり口（図３における符号２１）を野菜室２の背壁のコーナー部またはその近くに設け、その近くの独立した部屋を低温部屋（図３における符号３ａ）とし、冷気吐き出し口５を野菜室２の背壁の上部に設けたとき、冷気吐き出し口５からでた冷気は、冷気もどり口（図３における符号２１）の方向へ流れるため、風向板１０および補助風向板１８の当位置と形状は、その冷気流に近いもので、冷気もどり口（図３における符号２１）に向かって凹の風向板１０および固定風向板１８の当形状は、冷気流によるうず流をあまり生じさせないもので、風向を効率よく変えるばかりでなく、静音効果にもよい形状である。
【００２８】
また、カバー６に設けられた冷気穴６ａは、図２における補助風向板１８のカバー６前方側近くの低温部屋（図３における符号３ａ）またはもどり側小物部屋（図３における符号７ａ）上方に配置され、風向板１０および補助風向板１８による冷気の一部が冷気穴６ａの方向に流れるようになっている。
【００２９】
１９は冷気穴６ａを開閉自在にできる冷気穴蓋で、カバー６に掛かり爪にて左右に移動可能に取り付けてある。また、隔壁４に設けた隔壁突出部４ａが冷気穴蓋１９を横に移動させ、冷気穴６ａは開いた状態になる。そのため、冷気が冷気穴６ａから低温部屋（図３における符号３ａ）に流れ込み、この部屋をより低温に保ち、野菜以外の例えばワインやビール等の貯蔵にも適した低温部屋を、野菜室にもつ冷蔵庫が得られる。
【００３０】
また、上記はケース３の上部の横方向全体に小物用のケース７がある場合についての説明であるが、小物用のケース７がない場合、または、小物用のケースがケース３の上部の横方向の一部にある場合は、上記隔壁突出部４ａや８ａの代わりに、上記隔壁４と隔壁８とが一体になったような形状の隔壁に、風向板１０と冷気穴蓋１９を作動さすための各々の隔壁突出部を設けても、同様の効果は得られる。
【００３１】
なお、図２では冷気穴蓋１９が風向板１０と連動し、風向板１０が補助風向板１８側に向いたとき冷気穴６ａが開いた状態になるよう構成されているが、冷気穴蓋１９が風向板１０と連動せず、独立して冷気穴６ａを開閉自在にできるようにしておくと、その下にある部屋は、冷気穴６ａの冷気穴蓋１９による開閉によっても、室温の調整が独立してできることは明白である。
【００３２】
また、風向板１０の上下方向のカバー６側端部に冷気すくい壁１０ｃが設けられているため、風向板１０とカバー６との隙間からの冷気もれが軽減され、効率よく冷気が導かれる。
【００３３】
なお、上記風向板１０の冷気すくい壁１０ｃに他の風向板を補助的に設けると、冷気吐き出し口５からでる冷気をより効率よく分散させてカバー６の上部を流せることは明白である。
【００３４】
また、当位置の風向板１０に対向するカバー６の部分に、シール材を張り付けるか、シール壁を設けるかすると、冷気もれが確実に防がれ、よりいっそう効率よく冷気が導かれることは明白である。また、上記同様の冷気すくい壁を風向板１０の上下方向の上部仕切部９側端部に設けても同様の効果が生じ、シール材・シール壁を風向板１０の当位置に対向する上部仕切部９の部分に設けても同様の効果が生じる。
【００３５】
さらに、１１ａは冷気吐き出し口５に設けた風向板で、冷気もどり口（図３における符号２１）と反対方向に、冷気流を向けるように配置されている。このため、冷気吐き出し口５から流れ出る冷気の一部が、風向板１１ａに導かれ、カバー６の上部を、冷気もどり口（図３における符号２１）と反対方向にある反もどり側部屋（図３における符号３ｂ）や反もどり側小物部屋（図３における符号７ｂ）方向に流れ、この部屋を間接的に冷却する。
【００３６】
また、２０は冷気逃げ防止壁であるが、図４の野菜室の各部屋をほぼ同様の温度にする時に役立つ防止壁であり、冷気吐き出し口５から流れでる冷気流を阻害しないよう風向板１０の動きもあわせ配置が考慮されている。
【００３７】
また、６ｂ、６ｃは各々湿気を透過する性質をもつ透湿材であり、カバー６に一体に形成されている。ケース３および小物用のケース７内が高湿度のとき、上記透湿材６ｂ，６ｃをとおし湿気を各ケース外部へ逃がすため、透湿材６ｂ，６ｃをもつカバー６をケース３および小物用のケース７の上部に覆うよう設けることにより、上記ケース３および小物用のケース７内を一定湿度に保つことができる。
【００３８】
上記透湿材６ｂ，６ｃを冷気流など湿度の低い気体の流れのある所に設けると、その透湿効果は向上するため、透湿材６ｂ，６ｃの透湿能力や上記ケース３および小物用のケース７内の設定湿度にあわせ、上記透湿材６ｂ、６ｃの領域を設定すればよい。
【００３９】
なお、上記透湿材６ｂ，６ｃを着脱自在に設けると、透湿効果が低下したときの透湿材６ｂ、６ｃの交換が容易にできる。また、透湿材６ｂ，６ｃのほかに調湿材やエチレンガスを吸収する性質をもつ部材や活性炭等の臭気吸着剤による部材や抗菌剤を含む部材または単なる穴のみを設けた部材でもよい。そして、カバー６はケース３および小物ケース７の上部を覆う形状のものであれば、ある程度の湿度を保つ役目をはたせることは明白である。
【００４０】
図３は野菜室の各部屋を異なる温度にする時の、図１に示す野菜室付近のＢ−Ｂ線の要部断面図であるが、矢印で示された冷気流は、野菜室２を正面から見たときの野菜室２の内部全体での冷気流を示している。冷気吐き出し口５を通って野菜室２に送られた冷気は、カバー６とケース３とで囲まれた貯蔵部周辺を、矢印が示すように分散して流れ、冷気もどり口２１を通り蒸発器へ帰る。
【００４１】
この間、冷気流は風向板１０および補助風向板（図２における符号１８）に従いカバー６の上部を低温部屋３ａおよびもどり側小物部屋７ａの外側周辺に集中するように流れ、その後低温部屋３ａ外側の前方付近および下方付近を通り、冷気もどり口２１へもどるため、低温部屋３ａおよびもどり側小物部屋７ａの外側周辺には多くの冷気が流れ、この部を間接的に低温に保つ。
【００４２】
なお、冷気もどり口２１と反対方向にあるケース３周辺の冷気流の少ない側の反もどり側部屋３ｂが、低温部屋３ａより高温となることは明白である。また、小物用のケース７内の、もどり側小物部屋７ａや反もどり側小物部屋７ｂも上記同様の傾向の温度となる。ここで、隔壁４および８は２重構造にしてあり、断熱効果をあげている。場合によっては、隔壁４および８内に断熱材をいれてもよい。また、隔壁４および８は上下方向で略同一線上にあるが、場合によっては異なる位置にあっても上記と類似の効果は得られる。
【００４３】
図４において、矢印は野菜室２の各部屋をほぼ同様の温度にする時のカバー６上での冷気流をあらわす。
【００４４】
野菜室扉１３を手前に引き、ケース３の上部に位置する小物用のケース７を野菜室２から引き出し、小物用のケース７の隔壁８を取り外すかケース７の両端のどちらか一方の位置へ移し替える。その後、野菜室扉１３を押し込んで閉じても、隔壁８に設けた隔壁突出部８ａが回動自在な風向板１０の回動レバー１０ｂを後方に押さないため、風向板バネ１７の力により風向板１０は押されて、カバー６に設けられた風向板当たり６ｄまで風向板１０は回動した状態を保つ。
【００４５】
そのため、冷気吐き出し口５から流れ出た冷気が風向板１０および補助風向板２２に導かれ、カバー６の上部を冷気もどり口（図５における符号２１）と反対側に集中するように流れる。この間、カバー６を介して、ケース３内および小物ケース７内の貯蔵品は、前記冷気により間接的に冷却される。
【００４６】
なお、当位置の風向板１０に対向するカバー６の部分に、シール材を張り付けるか、シール壁を設けるかすると、冷気もれが確実に防がれ、よりいっそう効率よく冷気が導かれることは明白である。また、風向板１０の上下方向のカバー６側端部に冷気すくい壁１０ｃ同様の冷気すくい壁を風向板１０を挟んで反対側に設けられていると、風向板１０とカバー６との隙間からの冷気もれが軽減され、効率よく冷気が導かれることは明白である。
【００４７】
そして、上記冷気すくい壁に他の風向板を補助的に設けると、冷気吐き出し口５からでる冷気をより効率よく分散させてカバー６の上部を流せることは明白である。
【００４８】
また、上記同様の冷気すくい壁を風向板１０の上下方向の上部仕切部９側端部に設けても同様の効果が生じ、シール材・シール壁を風向板１０の当位置に対向する上部仕切部９の部分に設けても同様の効果が生じる。
【００４９】
特に、風向変換量の大きい冷気吐き出し口５近くの部分に、上記冷気すくい壁・シール材・シール壁を設けると、その効果は大きく、また、この部は回動軸１０ａに近く、当風向板１０の形状であれば力を加えるアーム部が長いためテコの原理により、シール材追加等による摩擦力の増加は、風向板１０を動かすための力にさほど大きく影響しなく、風向板バネ１７のバネ荷重は低いものでよく、野菜室扉１３を閉じるときの操作荷重にあまり影響しない。
【００５０】
また、冷気吐き出し口５に設けた風向板１１ａにより、冷気もどり口（図５における符号２１）と反対側に冷気が流れ出るようにあらかじめなっているため、この位置の風向板１０で強制的に冷気流を変えるときの冷気流変換を誘引する働きがあり、冷気吐き出し口５から冷気が流れ出た直後に、冷気もどり口（図５における符号２１）と反対側へより効率よく冷気が送ることができ、そのため、野菜室２全体に冷気をより効率よく流すことができる。
【００５１】
また、冷気逃げ防止壁２０は、冷気吐き出し口５の端部と風向板１０の端部との間をつなぐように位置し、冷気吐き出し口５から出た冷気を逃がすことなく冷気もどり口（図５における符号２１）と反対側に流す。なお、冷気逃げ防止壁２０の風向板１０側にシール材を張り付けると、冷気逃げ防止壁２０と風向板１０の間の冷気もれ防止を向上させることは明白である。
【００５２】
さらに、風向板１０の回動軸１０ａは、風向板１０の端より内にあり、冷気吐き出し口５前方の冷気もどり口（図５における符号２１）側に位置するため、冷気を冷気もどり口（図５における符号２１）と反対側へ流れるように風向板１０を図４のように向けたとき、適度の冷気吐き出し口５近くの風向板１０部分の回動で、風向板１０が冷気吐き出し口５前方の全体を冷気流の方向変換のために適度の間隔をもって覆うように位置し、カバー６前方側の風向板１０の部分は冷気もどり口（図５における符号２１）と反対側へ充分に向けられるとともに、補助風向板２２を設けた場合も含み、カバー６の前方部分の冷気流出域を適度の巾にとれるため、一枚の風向板１０のみによっても、冷気吐き出し口５からでる冷気全体を無理なく捕らえることができ、冷気もどり口（図５における符号２１）の反対側へより効率よく冷気が送れ、そのため、風向板１０一枚にて野菜室２全体に冷気を流すことができる。
【００５３】
また、この風向板１０と冷気吐き出し口５と回動軸１０ａの関係により設けられた冷気逃げ防止壁２０は、図２における野菜室の各部屋を異なる温度にする時の、冷気吐き出し口５から流れでる冷気流を阻害しないように、冷気吐き出し口５を広く開け、冷気吐き出し口５から離れるずつ大きく広がる形状となっている。
【００５４】
また、図４においては、ケース３の隔壁４を取り外すかケース３の両端のどちらか一方の位置に移し替えているため、野菜室扉１３を押し込んで閉じても、隔壁４に設けた隔壁突出部４ａが冷気穴蓋１９を右方向に押さないため、蓋バネ２３の力により冷気穴蓋１９は左方向に押されたままとなり、冷気穴蓋１９は冷気穴６ａを閉じた状態を維持する。
【００５５】
なお、蓋バネ２３はビスにてカバー６に取り付けてある。また、冷気穴蓋１９の左右方向の移動は、カバー６に取り付けるための冷気穴蓋１９の掛かり爪（図９における符号１９ｄ）とカバー６側に設けた掛かり穴（図９における符号６ｇ）にて制約され、冷気穴６ａの開閉のための冷気穴蓋１９の移動量の調整をしている。
【００５６】
冷気穴６ａから冷気が流れ込まないように閉じているため、流入冷気によるケース３内でのこの付近の部分的な温度低下はない。また、隔壁突出部８ａおよび４ａのための突出部用の動作穴６ｅおよび６ｆは、それぞれ回動レバー１０ｂおよび冷気穴蓋１９にてふさがれている。
【００５７】
なお、本図において、風向板１０および補助風向板２２は連続した壁にて形成されているが、上記風向板１０および補助風向板２２の壁の一部に切欠き部を設け、冷気の一部を冷気もどり口（図５における符号２１）側へもらすことにより、カバー６上での冷気流の拡散効果が上がり、この部でのケース３およびケース７への間接的冷却の均一化がより向上することは明白である。
【００５８】
また、風向板１０の一部に切欠き部を設けたとき、図２におけるカバー６上での冷気流への影響は、冷気もどり口（図３における符号２１）の位置を補助風向板１８の先端側（すなわち、図３のような位置）に設けておくと少ない。
【００５９】
図５は、図１に示す野菜室付近のＢ−Ｂ線の要部断面図であるが、矢印で示された冷気流は、野菜室２を正面から見たときの野菜室２の内部全体での冷気流を示している。冷気吐き出し口５を通って野菜室２に送られた冷気は、矢印が示すように、風向板１０および補助風向板（図４における符号２２）に従いカバー６の上部を冷気もどり口２１の反対側に集中するように流れ、その後冷気もどり口２１の反対側から冷気もどり口２１に向かってケース３外側の前方付近および下方付近を通り、冷気もどり口２１へもどり、その後、冷気もどり口２１から蒸発器へ帰る。
【００６０】
そのため、カバー６、ケース３および小物用のケース７で囲まれた部分の外側周辺には、矢印のように冷気が流れ、上記ケース内を間接的にほぼ同様の温度となるように冷却する。さらに、隔壁４および８はケース３および小物用のケース７の端に移しかえてあるため、上記ケース内で空気が対流可能となり、いっそう上記ケース内の温度は均一になる。
【００６１】
図６において、カバー６には段６ｇと段６ｇにつながる動作穴６ｅが設けられている。隔壁８に設けた隔壁突出部８ａは、野菜室扉１３を閉じることにより、段６ｇ後方の上記動作穴６ｅからカバー６の上面に突き出し、風向板１０の回動レバー１０ｂを押して風向板１０を回動さすため、上記動作穴６ｅは比較的に小さいものとなり、動作穴６ｅの穴あきによるカバー６自体の強度の低下が少なくなり、風向板１０の回動レバー１０ｂで動作穴６ｅをふさぐ場合、その大きさも小さくてすみ、風向板１０の作動性および密閉性も向上する。
【００６２】
また、隔壁８に設けた隔壁突出部８ａの一部は略横方向（当図では冷蔵庫本体に対して後方）に隔壁８から離れて伸びており、このため、カバー６に設けられた動作穴６ｅはより小さいものとなり、風向板１０の回動レバー１０ｂで動作穴６ｅをふさぐ場合、風向板１０の作動性および密閉性はより向上したものとなり、そして、風向板１０の作動部である回動レバー１０ｂの必要動作範囲が隔壁８よりも後ろに離れていても、確実に回動レバー１０ｂを押して風向板１０を回動可能にしている。
【００６３】
なお、図６は隔壁突出部８ａが冷蔵庫本体に対して上方に突出し後方に隔壁８から離れて伸びている場合であるが、隔壁突出部８ａが冷蔵庫本体に向かって左右方向に突出したり、その後、後方に隔壁８から離れて伸びている場合であっても、段のとりかたによっては、上記同様の効果が得られることは明白である。
【００６４】
図７において、野菜室扉１３を手前に引き、ケース３およびケース３の上部に位置する小物用のケース７を野菜室２内から外部へ引き出し、小物用のケース７をケース３から外し、ケース３の隔壁４を所定の位置へ取り付け、小物用のケース７をケース３の上部にもどす。その後、野菜室扉１３を押し込んで閉じると、隔壁４に設けた隔壁突出部４ａが冷気穴蓋１９のガイド壁１９ａを押すことにより、冷気穴蓋１９は横に移動し冷気穴６ａは開いた状態になる。すなわち、隔壁４の所定位置への取り付けで野菜室扉１３を閉じることにより冷気穴６ａは連動して開き、冷気が低温部屋（図３における符号３ａ）に流れ込みこの部屋をより低温に保つ。
【００６５】
なお、蓋バネ２３はこの状態で冷気穴蓋１９を左へ移動させる方向に働いている。また、１９ｂはガイド壁１９ａの一部の面のロック面で、蓋バネ２３の働く力方向に対し略垂直にしてある。そのため、図７のように、ロック面１９ｂに隔壁突出部４ａが位置すると、隔壁突出部４ａを持つ隔壁４に冷蔵庫本体１の前方へ押し出す方向への蓋バネ２３による力は働かなくなり、この時点で、蓋バネ２３の力が野菜室扉１３を開く方向への力としては働かなくなり、野菜室扉１３の閉鎖性は増す。なお、ロック面１９ｂがガイド壁１９ａの傾斜面に対し逆傾斜にしておくとロック性が増し、野菜室扉１３の閉鎖性がより増加することは明白である。
【００６６】
図８において、カバー６には段６ｈと段６ｈにつながる動作穴６ｆが設けられている。隔壁４に設けた隔壁突出部４ａは、野菜室扉１３を閉じることにより、段６ｈ後方の上記動作穴６ｆからカバー６の上面に突き出し、冷気穴蓋１９のガイド壁（図７における符号１９ａ）を押して冷気穴蓋１９を冷蔵庫本体１に対し横方向へ移動さすため、上記動作穴６ｆは比較的に小さいものとなり、動作穴６ｆの穴あきによるカバー６自体の強度の低下が少なくなり、冷気穴蓋１９で動作穴６ｆをふさぐ場合、その大きさも小さくてすみ、冷気穴蓋１９の作動性および密閉性も向上する。
【００６７】
なお、図８は隔壁突出部４ａが冷蔵庫本体に対して上方に突出している場合をあらわすが、隔壁突出部４ａが冷蔵庫本体に向かって左右方向に突出した場合であっても、段のとりかたによっては、上記同様の効果が得られることは明白である。
【００６８】
図９において、１９ｃは冷気穴蓋１９の蓋穴で、カバー６の冷気穴６ａと重なり、この状態では、冷気が流れ込むようになっている。また、１９ｄはカバー６に掛かる掛かり爪で、６ｇは掛かり爪１９ｄの掛かり穴である。
【００６９】
なお、風向板を複数枚設けた場合であっても、上記のそれぞれの効果は、より効率よく得られることは明白である。また、冷気すくい壁が、冷気吐き出し口５の上下の壁の外側に重なるようにしておくと、冷気もれがより軽減されることも明白である。
【００７０】
【発明の効果】
本発明の冷蔵庫は上記のような構成であるから、本発明は、隔壁の所定の位置への取り付けによって、各々独立した部屋の温度を異なる温度に設定したり、隔壁の所定の位置からの取り外しによって、ケース内温度がどの位置においてもほぼ同様の温度に設定することが、容易にできる実用性に富んだ野菜室をもつ冷蔵庫が得られる。
【００７１】
また、本発明は、各所に異なる量の冷気を容易により確実に供給でき、風向板の向きによって、各部屋の温度を異なる温度に設定したり、ケース内温度がどの位置においてもほぼ同様の温度に設定することが、容易により確実に選べる実用性に富んだ野菜室をもつ冷蔵庫が得られる。また、カバーを介して隔壁の近くに風向板が位置するため、隔壁の所定の位置への着脱により、野菜室扉が閉状態のとき、風向板が各々定められた向きにいっそう容易に回動できるようになる。
【００７２】
また、本発明は、補助風向板を設けたため、回動する風向板の長さが短くても、カバー上やケースやその周辺を流れる冷気流量の風向板回動による変化は広範囲にでき、また、回動する風向板の長さが短くてすむため、風向板の回動範囲が少なく、かつ、回動荷重が小さくなり、容易に素早く確実に小さな力で風向板を回動でき、そのため、広範囲の各所に異なる量の冷気を容易により確実に供給でき、風向板の向きによって、各部屋の温度を異なる温度に設定したり、ケース内温度がどの位置においてもほぼ同様の温度に設定することが、いっそう容易により確実にできる実用性に富んだ野菜室をもつ冷蔵庫が得られる。
【００７３】
また、本発明は、隔壁を所定の位置へ取り付けたとき、冷気穴が開くようにさせると、カバーに冷気穴をもつ野菜室の部屋に冷気が流れ込み、この部屋がよりいっそう低温になり、野菜以外の例えばワインやビール等の貯蔵にも適した低温部屋を野菜室にもつ冷蔵庫が得られる。
【００７４】
また、本発明は、動作穴からの流入冷気が遮断でき、ケース内温度がどの位置においてもほぼ同様の温度に設定するとき、ケース内の各所をほぼ同様に安定した温度に保てる野菜室をもつ冷蔵庫が得られる。
【００７５】
また、本発明は、カバーに設けられる動作穴が比較的小さいものとなり、動作穴の穴あきによるカバー自体の強度の低下が少なくなり、風向板または冷気穴蓋で動作穴をふさぐ場合、その大きさも小さくてすみ、風向板または冷気穴蓋の作動性および密閉性が向上する。
【００７６】
また、本発明は、カバーに設けられる動作穴がより小さいものとなり、風向板または冷気穴蓋で動作穴をふさぐ場合、その大きさもより小さくてすみ、風向板または冷気穴蓋の作動性および密閉性がより向上するとともに、風向板または冷気穴蓋の隔壁による作動部が、隔壁よりも離れた所であっても、確実に作動できるようになる。
【図面の簡単な説明】
【図１】本発明による冷蔵庫の野菜室付近の要部断面図である。
【図２】図１に示す野菜室の各部屋を異なる温度にする時の野菜室のカバーでの冷気流をあらわす野菜室のＡ−Ａ線の要部断面図である。
【図３】図１に示す野菜室の各部屋を異なる温度にする時の冷気流をあらわす野菜室付近のＢ−Ｂ線の要部断面図である。
【図４】図１に示す野菜室のケース内をほぼ同様の温度にする時の野菜室のカバーでの冷気流をあらわす野菜室のＡ−Ａ線の要部断面図である。
【図５】図１に示す野菜室のケース内をほぼ同様の温度にする時の冷気流をあらわす野菜室付近のＢ−Ｂ線の要部断面図である。
【図６】図２のＣ−Ｃ線の要部断面図である。
【図７】図２の冷気穴蓋付近の要部拡大図である。
【図８】図７のＤ−Ｄ線の要部断面図である。
【図９】図７のＥ−Ｅ線の要部断面図である。
【符号の説明】
２  野菜室
３  ケース
４  隔壁
４ａ  隔壁突出部
５  冷気吐き出し口
６  カバー
６ａ  冷気穴
６ｅ  動作穴
６ｆ  動作穴
６ｇ  段
６ｈ  段
８  隔壁
８ａ  隔壁突出部
１０  風向板
１３  野菜室扉
１６  野菜室用冷気通路
１８  補助風向板
１９  冷気穴蓋
２２  補助風向板
【図１】
0003622778.tif 000002
【図２】
0003622778.tif 000003
【図３】
0003622778.tif 000004
【図４】
0003622778.tif 000005
【図５】
0003622778.tif 000006
【図６】
0003622778.tif 000007
【図７】
0003622778.tif 000008
【図８】
0003622778.tif 000009
【図９】
0003622778.tif 000010